(57)【特許請求の範囲】
【請求項１】
予め優先的に運転する優先順位が設定された複数の空調機器を所定の制限電力値の範囲内で運転制御する空調機器運転制御装置であって、
前記制限電力値を記憶する制限電力値記憶部から前記制限電力値を取得する制限電力値取得部と、
前記各空調機器の優先順位を判別する優先順位判別部と、
前記空調機器が運転要求信号を発しているか否かを判別する運転要求信号判別部と、
前記各空調機器からそれぞれに固有の最大消費電力値を取得する最大消費電力値取得部と、
前記運転要求信号判別部が前記運転要求信号を発していると判別した全ての前記空調機器について、前記優先順位判別部が判別した優先順位に従って、前記最大消費電力値取得部が取得した最大消費電力値を順次、積算して積算値を算出する積算値算出部と、
前記積算値算出部が前記積算値を算出する度に、前記積算値と、前記制限電力値取得部が取得した前記制限電力値とを比較する積算値比較部と、
前記積算値比較部による比較結果を参照し、前記積算値が前記制限電力値以下である場合、直近に積算した最大消費電力値を有する前記空調機器に運転オン信号を出力し、前記積算値が前記制限電力値を超える場合、直近に積算した最大消費電力値を有する前記空調機器に運転オフ信号を出力する運転制御信号出力部と、
前記積算値比較部による比較結果を参照し、前記積算値が前記制限電力値を超える場合、当該積算値を、直近に積算した最大消費電力値を積算する前の積算値に戻す積算値復帰部と
を有している空調機器運転制御装置。
【請求項２】
前記各空調機器が優先順位に関係なく運転することを要求する割り込み信号を発しているか否かを判別する割り込み信号判別部を有しており、前記運転要求信号判別部が前記運転要求信号を発していると判別し、かつ、前記割り込み信号判別部が前記割り込み信号を発していると判別した前記空調機器がある場合、前記積算値算出部は、当該空調機器の前記最大消費電力値を先に積算する請求項１に記載の空調機器運転制御装置。
【請求項３】
予め優先的に運転する優先順位が設定された複数の空調機器を所定の制限電力値の範囲内で運転制御する空調機器運転制御プログラムであって、
前記制限電力値を記憶する制限電力値記憶部から前記制限電力値を取得する制限電力値取得部と、
前記各空調機器の優先順位を判別する優先順位判別部と、
前記空調機器が運転要求信号を発しているか否かを判別する運転要求信号判別部と、
前記空調機器からそれぞれに固有の最大消費電力値を取得する最大消費電力値取得部と、
前記運転要求信号判別部が前記運転要求信号を発していると判別した全ての前記空調機器について、前記優先順位判別部が判別した優先順位に従って、前記最大消費電力値取得部が取得した最大消費電力値を順次、積算して積算値を算出する積算値算出部と、
前記積算値算出部が前記積算値を算出する度に、前記積算値と、前記制限電力値取得部が取得した前記制限電力値とを比較する積算値比較部と、
前記積算値比較部による比較結果を参照し、前記積算値が前記制限電力値以下である場合、直近に積算した最大消費電力値を有する前記空調機器に運転オン信号を出力し、前記積算値が前記制限電力値を超える場合、直近に積算した最大消費電力値を有する前記空調機器に運転オフ信号を出力する運転制御信号出力部と、
前記積算値比較部による比較結果を参照し、前記積算値が前記制限電力値を超える場合、当該積算値を、直近に積算した最大消費電力値を積算する前の積算値に戻す積算値復帰部と
してコンピュータを機能させる空調機器運転制御プログラム。
【請求項４】
前記各空調機器が優先順位に関係なく運転することを要求する割り込み信号を発しているか否かを判別する割り込み信号判別部としてコンピュータを機能させ、前記運転要求信号判別部が前記運転要求信号を発していると判別し、かつ、前記割り込み信号判別部が前記割り込み信号を発していると判別した前記空調機器がある場合、前記積算値算出部は、当該空調機器の前記最大消費電力値を先に積算する請求項３に記載の空調機器運転制御プログラム。
【請求項５】
予め優先的に運転する優先順位が設定された複数の空調機器を所定の制限電力値の範囲内で運転制御する空調機器運転制御方法であって、
前記制限電力値を記憶する制限電力値記憶部から前記制限電力値を取得する制限電力値取得ステップと、
前記各空調機器の優先順位を判別する優先順位判別ステップと、
前記空調機器が運転要求信号を発しているか否かを判別する運転要求信号判別ステップと、
前記各空調機器からそれぞれに固有の最大消費電力値を取得する最大消費電力値取得ステップと、
前記運転要求信号判別ステップにおいて前記運転要求信号を発していると判別された全ての前記空調機器について、前記優先順位判別ステップにおいて判別された優先順位に従って、前記最大消費電力値取得ステップにおいて取得された最大消費電力値を順次、積算して積算値を算出する積算値算出ステップと、
前記積算値算出ステップにおいて前記積算値が算出される度に、前記積算値と、前記制限電力値取得ステップにおいて取得された前記制限電力値とを比較する積算値比較ステップと、
前記積算値比較ステップにおける比較結果を参照し、前記積算値が前記制限電力値以下である場合、直近に積算した最大消費電力値を有する前記空調機器に運転オン信号を出力し、前記積算値が前記制限電力値を超える場合、直近に積算した最大消費電力値を有する前記空調機器に運転オフ信号を出力する運転制御信号出力ステップと、
前記積算値比較ステップにおける比較結果を参照し、前記積算値が前記制限電力値を超える場合、当該積算値を、直近に積算した最大消費電力値を積算する前の積算値に戻す積算値復帰ステップと
を有している空調機器運転制御方法。
【請求項６】
前記各空調機器が優先順位に関係なく運転することを要求する割り込み信号を発しているか否かを判別する割り込み信号判別ステップを有しており、前記運転要求信号判別ステップにおいて前記運転要求信号を発していると判別され、かつ、前記割り込み信号判別ステップにおいて前記割り込み信号を発していると判別された前記空調機器がある場合、前記積算値算出ステップでは、当該空調機器の前記最大消費電力値を先に積算する請求項５に記載の空調機器運転制御方法。
【発明の詳細な説明】
【技術分野】
【０００１】
本発明は、予め優先的に運転する優先順位が設定された複数の空調機器を所定の制限電力値の範囲内で運転制御する空調機器運転制御装置、空調機器運転制御プログラムおよび空調機器運転制御方法に関するものである。
【背景技術】
【０００２】
昨今、オール電化住宅の普及等により照明等の消費電力の小さい電気機器に限らず、電気パネルヒーターといった消費電力の大きい空調機器等の利用機会が増加している。これに伴い、利用者もそれら消費電力の大きい空調機器等の電気料金を抑制したいというニーズがある。
【０００３】
電力会社ではそのようなニーズに応えるため、安価な電気料金の利用時間を余剰電力が多い深夜帯等に制限したり、利用可能な制限電力値を設定することで空調機器へ安価な電力を提供するサービスが用意されている。例えば、北海道電力株式会社では、安価な価格帯を利用できる利用機器として融雪機器や空調機器に限定したホットタイムというサービスが提供されている。
【０００４】
従来、そのような電気料金の安いサービスを契約した場合、全ての空調機器を同時に運転する可能性があることを想定し、基本料金の設定に関わる制限電力値は、各空調機器の最大消費電力値を全て積算したものを基準としてきた。
【０００５】
しかし、一般住宅において、昨今の省エネへの意識の高まりなどから、全ての空調機器を同時に運転することは極めて少なくなっている。例えば、空調機器が各部屋に設置されている場合でも、リビングや寝室といった居住時間の長い部屋以外の空調機器は停止させておくことが多い。また、部屋の温度が設定値に達したときは、部屋を暖め過ぎないようにその空調機器の運転を停止させることが多い。出願人の調べでは、一般的な２階建て住宅において、全ての空調機器の稼働率は２５％〜５０％程度になるとの試算がでている。
【０００６】
したがって、これまで上記サービスを契約する場合、実際に必要な電力値よりも高い制限電力値が設定されてしまい、基本料金が高く見積もられるという問題があった。
【０００７】
なお、従来、制限電力値の超過によるブレーカー遮断の防止等を目的とした、複数の電気機器の運転オンオフ制御を行うデマンド制御装置やデマンド制御方法が提案されている。
【０００８】
例えば、特開２０１０−７５０１５号公報では、デマンド制御の優先度を設定するデマンド優先度設定手段、及び、設定された優先度をコントローラに通知する優先度通知手段を配置した電気機器と、消費電力値を測定する電力値センサーと、前記優先度通知手段からの優先度に基づいて電力抑制対象とする電気機器の作動順番を決定するとともに、前記電力値センサーにより測定された消費電力値が契約電力値を超過した時にデマンド制御処理を実行するコントローラとを有する家電機器デマンド制御システムが提案されている（特許文献１）。
【０００９】
また、特開昭５１−１２７３５５号公報では、複数の電気機器の使用に優先順位を設け、回路内の消費電力値をカレントトランスフォーマで検知して、回路内の消費電力値が制限電力値を超過した場合に、前記優先順位の低い順に電気機器のスイッチをオフとし、回路内の消費電力値が制限電力値の範囲内に復帰したときには、スイッチをオンとする電流自動制御法が提案されている（特許文献２）。
【先行技術文献】
【特許文献】
【００１０】
【特許文献１】特開２０１０−７５０１５号公報
【特許文献２】特開昭５１−１２７３５５号公報
【発明の概要】
【発明が解決しようとする課題】
【００１１】
しかしながら、特許文献１および特許文献２に記載された発明においては、実際に使用されている電力値を測定し、当該測定値が所定の制限電力値を超過したことを検知してから電気機器等の運転制御を行うため、消費電力値は、一旦、制限電力値を超過することになる。そのため、前述した電力会社では、特許文献１および特許文献２に記載された発明等の従来のデマンド制御装置等の利用を前提としていると、上記安価な料金システムのサービスに適用することができなかった。
【００１２】
また、特許文献１および特許文献２に記載された発明は、使用されている電力値が制限電力値を超過すると、その範囲内になるまで優先度や優先順位の低い順に電気機器の運転を停止させるものである。そのため、運転が停止にされている下位の電気機器の消費電力値が低く、実際にはその下位の電気機器を運転させても全体の消費電力値が制限電力値の範囲内に収まる場合であっても、当該下位の電気機器は作動されずに停止したままであり、制限電力値の範囲内の電力を有効に利用することができていなかった。
【００１３】
さらに、特許文献１および特許文献２に記載された発明において、使用される電力値センサーやカレントトランスフォーマは高価である。また、使用電力値が超過したか否かを判別するためにリアルタイムで監視する必要があるため、システムへの負荷が大きく、また機能が複雑であったり、難易なプログラムを用いる必要があった。したがって、製造コストが高くなるという問題もあった。
【００１４】
本発明は、このような問題点を解決するためになされたものであって、複数の空調機器に対し、全体の消費電力値が常に制限電力値の範囲内なるようにオンオフ制御し、かつ、その制限電力値の範囲内で無駄なく電力を割り振って、空調機器を制限電力値の範囲内で最大限に運転することができ、安価な電気料サービスの利用と複数の空調機器の効率的な運転制御とを実現することのできる空調機器運転制御装置、空調機器運転制御プログラムおよび空調機器運転制御方法を提供することを目的としている。
【課題を解決するための手段】
【００１５】
本発明に係る空調機器運転制御プログラムは、空調機器運転制御装置を、予め優先的に運転する優先順位が設定された複数の空調機器を所定の制限電力値の範囲内で運転制御する空調機器運転制御プログラムであって、前記制限電力値を記憶する制限電力値記憶部から前記制限電力値を取得する制限電力値取得部と、前記各空調機器の優先順位を判別する優先順位判別部と、前記空調機器が運転要求信号を発しているか否かを判別する運転要求信号判別部と、前記空調機器からそれぞれに固有の最大消費電力値を取得する最大消費電力値取得部と、前記運転要求信号判別部が前記運転要求信号を発していると判別した全ての前記空調機器について、前記優先順位判別部が判別した優先順位に従って、前記最大消費電力値取得部が取得した最大消費電力値を順次、積算して積算値を算出する積算値算出部と、前記積算値算出部が前記積算値を算出する度に、前記積算値と、前記制限電力値取得部が取得した前記制限電力値とを比較する積算値比較部と、前記積算値比較部による比較結果を参照し、前記積算値が前記制限電力値以下である場合、直近に積算した最大消費電力値を有する前記空調機器に運転オン信号を出力し、前記積算値が前記制限電力値を超える場合、直近に積算した最大消費電力値を有する前記空調機器に運転オフ信号を出力する運転制御信号出力部と、前記積算値比較部による比較結果を参照し、前記積算値が前記制限電力値を超える場合、当該積算値を直近の最大消費電力値を積算する前の積算値に戻す積算値復帰部として機能させる。
【００１６】
また、本発明において、前記各空調機器が優先順位に関係なく運転することを要求する割り込み信号を発しているか否かを判別する割り込み信号判別部としてコンピュータを機能させ、前記運転要求信号判別部が前記運転要求信号を発していると判別し、かつ、前記割り込み信号判別部が前記割り込み信号を発していると判別した前記空調機器がある場合、前記積算値算出部は、当該空調機器の前記最大消費電力値を先に積算するようにしてもよい。
【００１７】
また、本発明に係る空調機器運転制御方法は、予め優先的に運転する優先順位が設定された複数の空調機器を所定の制限電力値の範囲内で運転制御する空調機器運転制御方法であって、前記制限電力値を記憶する制限電力値記憶部から前記制限電力値を取得する制限電力値取得ステップと、前記各空調機器の優先順位を判別する優先順位判別ステップと、前記空調機器が運転要求信号を発しているか否かを判別する運転要求信号判別ステップと、前記各空調機器からそれぞれに固有の最大消費電力値を取得する最大消費電力値取得ステップと、前記運転要求信号判別ステップにおいて前記運転要求信号を発していると判別された全ての前記空調機器について、前記優先順位判別ステップにおいて判別された優先順位に従って、前記最大消費電力値取得ステップにおいて取得された最大消費電力値を順次、積算して積算値を算出する積算値算出ステップと、前記積算値算出ステップにおいて前記積算値が算出される度に、前記積算値と、前記制限電力値取得ステップにおいて取得された前記制限電力値とを比較する積算値比較ステップと、前記積算値比較ステップにおける比較結果を参照し、前記積算値が前記制限電力値以下である場合、直近に積算した最大消費電力値を有する前記空調機器に運転オン信号を出力し、前記積算値が前記制限電力値を超える場合、直近に積算した最大消費電力値を有する前記空調機器に運転オフ信号を出力する運転制御信号出力ステップと、前記積算値比較ステップにおける比較結果を参照し、前記積算値が前記制限電力値を超える場合、当該積算値を直近の最大消費電力値を積算する前の積算値に戻す積算値復帰ステップとを有する。
【００１８】
また、本発明において、前記各空調機器が優先順位に関係なく運転することを要求する割り込み信号を発しているか否かを判別する割り込み信号判別ステップを有しており、前記運転要求信号判別ステップにおいて前記運転要求信号を発していると判別され、かつ、前記割り込み信号判別ステップにおいて前記割り込み信号を発していると判別された前記空調機器がある場合、前記積算値算出ステップでは、当該空調機器の前記最大消費電力値を先に積算するようにしてもよい。
【発明の効果】
【００１９】
本発明によれば、複数の空調機器に対し、全体の消費電力値が常に制限電力値の範囲内なるようにオンオフ制御し、かつ、その制限電力値の範囲内で無駄なく電力を割り振って、空調機器を制限電力値の範囲内で最大限に運転することができ、安価な電気料サービスの利用と複数の空調機器の効率的な運転制御とを実現することができる。
【図面の簡単な説明】
【００２０】
【図１】本発明に係る空調機器運転制御装置を用いた空調機器運転制御システムの一実施形態を示すブロック図である。
【図２】本実施形態における空調機器運転制御装置の各構成の機能を示す機能ブロック図である。
【図３】本実施形態における空調機器運転制御装置を示す分解斜視図である
【図４】本実施形態における各構成の作用を示すフローチャート図である。
【図５】本実施例１として空調機器の設置例を示す建物の間取り図である。
【図６】本実施例１における空調機器の運転条件およびそれに対する運転制御信号の有無を示す図である。
【図７】比較例として、従来の空調機器の運転制御装置における運転制御信号の有無を実施例１に対応させて示す図である。
【発明を実施するための形態】
【００２１】
以下、本発明に係る空調機器運転制御装置、空調機器運転制御プログラムおよび空調機器運転制御方法の一実施形態について図面を用いて説明する。図１は本実施形態における空調機器運転制御装置３を用いた空調機器運転制御システム１を示すブロック図である。
【００２２】
本実施形態の空調機器運転制御システム１は、複数の空調機器２と、それらの空調機器２と信号線１０を介して接続された空調機器運転制御装置３とから構成されている。以下、各構成について詳細に説明する。
【００２３】
空調機器運転制御装置３は、コンピュータ等から構成されており、主として、通信手段４、優先順位設定手段５、入力手段６、表示手段７、記憶手段８および演算処理手段９から構成されている。
【００２４】
通信手段４は、いわゆる通信インターフェース等から構成されており、各空調機器２に備えられた機器側通信手段２５と信号線１０を介して各種信号やデータの入出力を行うようになっている。本実施形態においては、図２に示すように空調機器２から運転要求信号、割り込み信号および最大消費電力値Ｎｘのデータを取得し、運転制御信号を空調機器２へ出力するようになっている。
【００２５】
優先順位設定手段５は、各空調機器２の運転に係る優先順位を設定するためのものである。本実施形態の優先順位設定手段５は、図３に示すような複数の端子を有する端子台５１から構成されており、その端子台５１には複数の端子５２が優先順位に従って端から順に配列されている。そして、予め設定された優先順位に従って各空調機器２と各端子５２とが一対一で接続されており、この接続位置により優先順位が設定されている。
【００２６】
入力手段６は、空調機器運転制御装置３の運転の開始や停止を指示するスイッチ、および、テキストや数値を入力する操作キー等からなる。本実施形態においては、後述する制限電力値記憶部８２への制限電力値の入力操作等に用いることができるようになっている。
【００２７】
表示手段７は、ＬＥＤライト、画像やテキストデータを表示する液晶ディスプレー等からなり、空調機器２の運転状況や運転条件、制限電力値等を表示できるようになっている。本実施形態において、表示手段７は、図３に示すような複数のＬＥＤライト７１を有しており、点灯の有無で各空調機器２の運転条件や運転制御信号の状況が表示されるようになっている。
【００２８】
記憶手段８は、ＲＯＭ（Read Only Memory）、ＲＡＭ（Random Access Memory）、ハードディスク、フラッシュメモリ等によって構成されており、各種のデータを記憶するとともに、演算処理手段９が演算を行う際のワーキングエリアとして機能するものである。
【００２９】
本実施形態において、記憶手段８は、図１に示すように、主として、プログラム記憶部８１、制限電力値記憶部８２、運転条件記憶部８３、積算値記憶部８４および比較結果記憶部８５を有している。以下、各記憶部についてより詳細に説明する。
【００３０】
プログラム記憶部８１には、本実施形態の空調機器運転制御プログラム３ａがインストールされている。そして、演算処理手段９が、空調機器運転制御プログラム３ａを実行することにより、本実施形態の空調機器運転制御装置３を後述する各構成部として機能させるようになっている。なお、空調機器運転制御プログラム３ａの利用形態は、上記構成に限られるものではなく、ＣＤ−ＲＯＭ等の記録媒体に記憶させておき、この記録媒体からコンピュータ等によって直接起動して実行し得るようにしてもよい。
【００３１】
制限電力値記憶部８２には、電力会社と契約した所定の制限電力値Ｓが記憶されている。本実施形態における制限電力値Ｓは、ユーザが勝手に変更してしまうのを防止するため、制限電力値Ｓが記憶された専用コネクターや、専用ＩＣカード等を用いて、電力会社が制限電力値記憶部８２に記憶させている。なお、制限電力値Ｓを記憶させる手段は、上記に限られるものではなく、入力手段により所定の制限電力値Ｓを入力することにより制限電力値記憶部８２に記憶するようにしてもよい。
【００３２】
運転条件記憶部８３は、各空調機器２の運転条件を記憶させておくためのものである。本実施形態において、運転条件記憶部８３には、図２に示すように、主に、各空調機器２の優先順位データ、各空調機器２の運転要求の有無を示すデータ、各空調機器２の最大消費電力値Ｎｘおよび各空調機器２の割り込み信号の有無を示すデータが記憶されている。
【００３３】
本実施形態において、各空調機器２の運転要求の有無を示すデータおよび各空調機器２の割り込み信号の有無を示すデータについては、後述する運転要求信号判別部９３および割り込み信号判別部９５の判別結果として、以下の３つのケースに場合分けして記憶されている。
【００３４】
まず、空調機器２から運転要求信号が発せられており、かつ、割り込み信号が発せられている場合は、優先的に運転することを示す運転条件のパラメータＰｘに当該空調機器２の最大消費電力値Ｎｘが代入される（ケース１）。また、空調機器２から運転要求信号のみが発せられている場合は、通常運転することを示す運転条件のパラメータＭｘに当該空調機器２の最大消費電力値Ｎｘが代入される（ケース２）。一方、空調機器２から運転要求信号が発せられていない場合は、各運転条件パラメータＭｘとＰｘにはともに０が代入される（ケース３）。
【００３５】
つぎに、積算値記憶部８４は、後述する積算値算出部９６が運転要求信号を発している全ての空調機器２について、優先順位に従って最大消費電力値Ｎｘを順次積算して算出した積算値（ＱｘまはたＲｘ）をその都度、記憶するためのものである。本実施形態において、積算値記憶部８４には、算出した積算値（ＱｘまはたＲｘ）とともに、その積算をする前の積算値（Ｑｘ−１またはＲｘ−１）が記憶されている。
【００３６】
比較結果記憶部８５は、各空調機器２に対して、後述する積算値比較部９７が積算値算出部９６により算出された積算値（ＱｘまはたＲｘ）と制限電力値Ｓとを比較した結果を記憶するものである。具体的には、積算値（ＱｘまはたＲｘ）が制限電力値Ｓ以下であると判別された場合は、その空調機器２に運転オン信号を出力するために、比較結果を示すパラメータＨｘに１が記憶される。一方、積算値（ＱｘまはたＲｘ）が制限電力値Ｓより大きいと判別された場合は、その空調機器２に運転オフ信号を出力するために、比較結果を示すパラメータＨｘに０が記憶される。
【００３７】
演算処理手段９は、ＣＰＵ（Central Processing Unit）等から構成されており、記憶手段８にインストールされた空調機器運転制御プログラム３ａを実行させることにより、図１に示すように、制限電力値取得部９１、優先順位判別部９２、運転要求信号判別部９３、最大消費電力値取得部９４、割り込み信号判別部９５、積算値算出部９６、積算値比較部９７、運転制御信号出力部９８および積算値復帰部９９として空調機器運転制御装置３を機能させるようになっている。以下、各構成部についてより詳細に説明する。
【００３８】
制限電力値取得部９１は、空調機器運転制御システム１において定められた制限電力値Ｓを取得するものである。本実施形態において、制限電力値取得部９１は、図２に示すように、制限電力値記憶部８２から制限電力値Ｓを取得し、その制限電力値Ｓを積算値比較部９７へ出力するようになっている。
【００３９】
優先順位判別部９２は、各空調機器２の優先順位を判別するものである。具体的には、優先順位判別部９２は、図２に示すように、優先順位設定手段５から優先順位判別用データを取得して各空調機器２に設定されている優先順位を判別し、空調機器２と優先順位とを対応付けた優先順位データを運転条件記憶部８３に出力する。なお、本実施形態において、優先順位判別部９２は、優先順位設定手段５としての端子台５１の端子５２に接続されている端子位置によって、その空調機器２の識別とその優先順位を判別するようになっている。
【００４０】
運転要求信号判別部９３は、各空調機器２が運転要求信号を発しているか否かを判別するためのものである。本実施形態において、運転要求信号判別部９３は、図２に示すように、各空調機器２から出力される運転要求信号を通信手段４を介して検知可能な状態にしておき、その運転要求信号を検知したか否かで空調機器２が運転要求信号を発したか否かを判別している。また、その判別結果は、上記のように、割り込み信号判別部９５の判別結果とともに、上記ケース１〜３に場合分けされ、運転条件記憶部８３に記憶されるようになっている。
【００４１】
最大消費電力値取得部９４は、各空調機器２からそれぞれに固有の最大消費電力値Ｎｘを取得するものである。本実施形態において、最大消費電力値取得部９４は、図１および図２に示すように、空調機器２から出力される最大消費電力値Ｎｘを通信手段４を介して取得し、運転条件記憶部８３に記憶させるようになっている。
【００４２】
割り込み信号判別部９５は、各空調機器２が優先順位に関係なく運転することを要求する割り込み信号を発しているか否かを判別するためのものである。本実施形態において、割り込み信号判別部９５は、前記運転要求信号判別部９３が運転要求信号を発していると判別した空調機器２に対し、図２に示すように、各空調機器２から出力される割り込み信号を通信手段４を介して検知可能な状態にしておき、割り込み信号を検知したか否かで空調機器２が割り込み信号を発したか否かを判別している。また、その判別結果は運転要求信号判別部９３の判別結果とともに、上記ケース１〜３に場合分けされ、運転条件記憶部８３に記憶されるようになっている。なお、割り込み設定は、例えば各空調機器２に設けられた割り込みスイッチ２３をオンすることにより設定可能となっている。
【００４３】
積算値算出部９６は、運転要求信号判別部９３が運転要求信号を発していると判別した全ての空調機器２について、優先順位判別部９２が判別した優先順位に従って、最大消費電力値取得部９４が取得した最大消費電力値Ｎｘを順次、積算して積算値（ＱｘまはたＲｘ）を算出するためのものである。本実施形態において、積算値算出部９６は、図２に示すように、積算値記憶部８４から取得した積算値（Ｑｘ−１またはＲｘ−１）に、運転条件記憶部８３から取得した最大消費電力値Ｎｘを積算し、算出した積算値（ＱｘまはたＲｘ）を積算値記憶部８４および積算値比較部９７へ出力するようになっている。
【００４４】
また、本実施形態において、積算値算出部９６は、割り込み信号判別部９５が割り込み信号を発していると判別した空調機器２の最大消費電力値Ｎｘを先に積算するようになっている。また、本実施形態において、割り込み信号を発している空調機器２が複数ある場合には、それらの空調機器２について予め設定されている優先順位に従って、先に積算するようになっている。
【００４５】
積算値比較部９７は、積算値算出部９６によって算出された積算値（ＱｘまはたＲｘ）と、制限電力値Ｓとを比較するためのものである。本実施形態において、積算値比較部９７は、積算値算出部９６が積算値（ＱｘまはたＲｘ）を算出する度に、図２に示すように、積算値算出部９６から出力された積算値（ＱｘまはたＲｘ）と、制限電力値取得部９１が取得した制限電力値Ｓとの大小を比較し、その比較結果を比較結果記憶部８５に記憶させるようになっている。
【００４６】
なお、本実施形態では、各空調機器２について、比較結果を一旦、比較結果記憶部８５に記憶させているが、これに限定されるものではない。すなわち、比較結果記憶部８５を使用することなく、直接、後述する運転制御信号出力部９８および積算値復帰部９９に比較結果を送信するようにしてもよい。
【００４７】
運転制御信号出力部９８は、積算値比較部９７による比較結果を参照し、その結果に応じて空調機器２に運転オン信号または運転オフ信号を出力するためのものである。本実施形態において、運転制御信号出力部９８は、図２に示すように、比較結果記憶部８５に記憶されている比較結果を参照し、当該比較結果がＨｘ＝１である場合、すなわち積算値（ＱｘまはたＲｘ）が制限電力値Ｓ以下である場合、直近に積算した最大消費電力値Ｎｘを有する空調機器２に運転オン信号を出力する。一方、比較結果がＨｘ＝０である場合、すなわち積算値（ＱｘまはたＲｘ）が制限電力値Ｓを超える場合、直近に積算した最大消費電力値Ｎｘを有する空調機器２に運転オフ信号を出力する、あるいは運転オン信号を出力しない処理を行うようになっている。
【００４８】
積算値復帰部９９は、積算値比較部９７による比較結果を参照し、積算値（ＱｘまはたＲｘ）が制限電力値Ｓを超える場合、当該積算値（ＱｘまはたＲｘ）を直近の最大消費電力値Ｎｘを積算する前の積算値（Ｑｘ−１まはたＲｘ−１）に戻すためのものである。本実施形態において、積算値復帰部９９は、図２に示すように、比較結果記憶部８５に記憶されている比較結果を参照し、当該比較結果がＨｘ＝０の場合、すなわち積算値（ＱｘまはたＲｘ）が制限電力値Ｓを超える場合、積算値記憶部８４から直近の最大消費電力値Ｎｘを積算する前の積算値（Ｑｘ−１まはたＲｘ−１）を取得し、当該積算値（Ｑｘ−１まはたＲｘ−１）によって積算値記憶部８４内の積算値（ＱｘまはたＲｘ）を書き換えるようになっている。なお、前記積算値復帰部９９による積算値（ＱｘまはたＲｘ）の復帰の方法については、前述のように積算値記憶部８４から読み出す方法に代えて、制限電力値Ｓを超えた積算値（ＱｘまはたＲｘ）から、直近に積算した最大消費電力値Ｎｘを減算することにより前の積算値（Ｑｘ−１まはたＲｘ−１）を求めるようにしてもよい。
【００４９】
なお、本実施形態において、空調機器２は、主として電気パネルヒーターやエアコン等の冷暖房機器であり、空気清浄機等も含まれる。図１に示すように、本実施形態の空調機器２は、電気パネルヒーターを例示しており、主として空調手段２１、運転スイッチ２２、割り込みスイッチ２３、センサー２４、機器側通信手段２５、機器側記憶手段２６および機器側演算処理手段２７を有している。
【００５０】
空調手段２１は、電気パネルヒーター等の空調機器本体のことであり、電力により発熱するようになっている。また、運転スイッチ２２および割り込みスイッチ２３は、運転および割り込みのオンオフを切り換えることのできる切換スイッチである。
【００５１】
センサー２４は、空調機器２が設置されている室内状況を計測するものであり、例えば熱電対を備えた室内温度を計測する温度計である。
【００５２】
機器側通信手段２５は、通信インターフェース等から構成されており、空調機器運転制御装置３に備えられた通信手段４と信号線１０を介して各種信号やデータの入出力を行うようになっている。
【００５３】
機器側記憶手段２６は、図１に示すように、最大消費電力値記憶部２６１を有しており、その最大消費電力値記憶部２６１には、当該空調機器２に固有の最大消費電力値Ｎｘが記憶されている。
【００５４】
また、機器側演算処理手段２７は、マイクロコンピュータ等から構成されており、図１に示すように、運転条件判別部２７１、信号入出力部２７２および空調制御部２７３を有している。
【００５５】
本実施形態において、運転条件判別部２７１は、運転スイッチ２２や割り込みスイッチ２３がオンかオフかを判別するとともに、センサー２４により計測された室内温度が設定値に達しているか否かを判別するものである。
【００５６】
信号入出力部２７２は、運転要求信号や割り込み信号を出力し、運転制御信号を入力するものである。具体的には、運転条件判別部２７１により運転スイッチ２２がオンであると判別されるとともに、室内温度が設定値以下であると判別された場合には、運転要求信号を出力するようになっている。また、運転条件判別部２７１により割り込みスイッチ２３がオンであると判別された場合には、割り込み信号を出力するようになっている。さらに、空調機器運転制御装置３の運転制御信号出力部９８が発した運転制御信号を入力し、空調制御部２７３へ出力するようになっている。
【００５７】
空調制御部２７３は、信号入出力部２７２が空調機器運転制御装置３の運転制御信号出力部９８が発した運転制御信号を入力すると、その運転制御信号に応じて、空調手段２１の運転オンオフ制御を行うものである。本実施形態において、空調制御部２７３は、運転オン信号が入力されると、空調手段２１の運転を開始させ、運転オフ信号が入力されると、空調手段２１の運転を停止させるようになっている。
【００５８】
つぎに、本実施形態の空調機器運転制御プログラム３ａによって実行される空調機器運転制御装置３、および本実施形態の空調機器運転制御方法の作用につき、図４のフローチャートを参照しつつ説明する。
【００５９】
まず、空調機器２を運転制御するための前提条件となる制限電力値Ｓ、空調機器の数Ｙを取得し、各空調機器２に優先順位を対応付ける（ステップＳ１〜Ｓ２）。具体的には、制限電力値取得部９１が制限電力値記憶部８２から制限電力値Ｓを読み出して取得する（ステップＳ１）。そして、優先順位判別部９２が、優先順位設定手段５から優先順位判別用データを取得して各空調機器２の優先順位データを運転条件記憶部８３に記憶させ、空調機器の数Ｙを取得する（ステップＳ２）。
【００６０】
つぎに、ステップＳ３〜Ｓ８は、各空調機器２から出力される各空調機器２の運転要求信号、最大消費電力値Ｎｘおよび割り込み信号を検知し、各空調機器２の運転条件を判別して運転条件記憶部８３に記憶させる工程である。
【００６１】
具体的には、まず、優先順位が最上位である第１優先順位の空調機器２を選択する（ステップＳ３）。つぎに、運転要求信号判別部９３が、その空調機器２から運転要求信号が発せられているか否かを判別する（ステップＳ４）。ここで運転要求信号が発せられていると判別された場合（ステップＳ４：ＹＥＳ）はステップＳ５へ進む。また、本実施形態では、運転要求信号を発していることを示すＬＥＤライト７１を点灯させる。そして、ステップＳ５において、最大消費電力値取得部９４が運転要求信号が発せられている空調機器２の最大消費電力値Ｎｘを取得する。
【００６２】
一方、運転要求信号が発せられていないと判別された場合（ステップＳ４：ＮＯ）は、上記場合分けにおけるケース３であり、その空調機器２の各運転条件パラメータをＰｘ＝０，Ｍｘ＝０を運転条件記憶部８３に記憶させる（ステップＳ７ｃ）。
【００６３】
つぎに、割り込み信号判別部９５は、運転要求信号が発せられていると判別した空調機器２が、別途、割り込み信号を発しているか否かを判別する（ステップＳ６）。
【００６４】
その結果、空調機器２が割り込み信号を発していると判別した場合（ステップＳ６：ＹＥＳ）は、上記場合分けにおけるケース１であり、各運転条件パラメータをＰｘ＝Ｎｘ，Ｍｘ＝０として、その空調機器２の運転条件を運転条件記憶部８３に記憶させる（ステップＳ７ａ）。また、本実施形態では、割り込み信号を発していることを示すＬＥＤライト７１を点灯させる。
【００６５】
一方、割り込み信号を発していないと判別した場合（ステップＳ６：ＮＯ）は、上記場合分けにおけるケース２であり、各運転条件パラメータをＰｘ＝０，Ｍｘ＝Ｎｘとして、その空調機器２の運転条件を運転条件記憶部８３に記憶させる（ステップＳ７ｂ）。
【００６６】
そして、空調機器２の優先順位が最下位であるか否かを判別し（ステップＳ８）、順次、空調機器２の優先順位が最下位になるまでステップＳ４〜Ｓ８を繰り返す（ステップＳ８：ＮＯ）。そして、空調機器２の優先順位が最下位であると判別されると（ステップＳ８：ＹＥＳ）、つぎのステップＳ９へ進む。
【００６７】
なお、本実施形態では、各空調機器２の運転条件を判別して運転条件記憶部８３に記憶させる工程を優先順位に従って行っているが（ステップＳ３〜Ｓ８）、これに限定されるものではなく、全ての空調機器２の判別を行うことができるのであれば、ランダムに判別するようにしてもよい。
【００６８】
つぎに、ステップＳ９〜ステップＳ１６は、運転条件記憶部８３に記憶された各空調機器２の運転条件に基づいて、運転要求信号が発せられており、かつ、割り込み信号が発せられている空調機器２に対して、他よりも優先的に最大消費電力値Ｎｘの積算値Ｑｘを算出し、その積算値Ｑｘと制限電力値Ｓとを比較して、その比較結果を比較結果記憶部８５に記憶させる工程である。
【００６９】
具体的には、まず、第１優先順位の空調機器２を選択する（ステップＳ９）。また、積算値Ｑ０に０を代入して、積算値記憶部８４に記憶させることで、積算値Ｑｘの初期化を行う（ステップＳ１０）。
【００７０】
つぎに、運転要求信号が発せられており、かつ、割り込み信号が発せられている空調機器２を抽出するため、運転条件記憶部８３に記憶された運転条件を呼び出し、運転条件パラメータがＰｘ＞０であるか否かを判別する（ステップＳ１１）。運転条件パラメータがＰｘ＞０である場合（ステップＳ１１：ＹＥＳ）はステップＳ１２に進み、運転条件パラメータがＰｘ＞０でない場合（ステップＳ１１：ＮＯ）は、ステップＳ１４ｂおよびステップＳ１５へと進む。
【００７１】
ステップＳ１２では、積算値算出部９６が積算値記憶部８４に記憶されている積算値Ｑｘを呼び出し、その積算値Ｑｘに、空調機器の最大消費電力値Ｎｘ（Ｐｘ）を積算する。本実施形態における積算値算出部９６では、積算する前の積算値Ｑｘ−１を残しつつ、算出した積算値Ｑｘを新しい積算値Ｑｘとして積算値記憶部８４に記憶させる。
【００７２】
つぎに、積算値比較部９７が、積算値算出部９６が算出した積算値Ｑｘと、制限電力値取得部９１により取得された制限電力値Ｓとの大小を比較する。本実施形態では、積算値Ｑｘが制限電力値Ｓ以下であると判別された場合（ステップＳ１３：ＹＥＳ）は、ステップＳ１４ａに進み、その比較結果をＨｘ＝１として比較結果記憶部８５に記憶させる。一方、積算値Ｑｘが制限電力値Ｓを越えると判別された場合（ステップＳ１３：ＮＯ）は、ステップＳ１４ｂおよびステップＳ１５へと進む。
【００７３】
本実施形態において、ステップＳ１４ｂでは、空調機器２から割り込み信号が発せられていないと判別された場合（ステップＳ１１：ＮＯ）、または積算値Ｑｘが制限電力値Ｓを越えると判別された場合（ステップＳ１３：ＮＯ）に、判別結果として、Ｈｘ＝０を比較結果記憶部８５に記憶させる。
【００７４】
また、ステップＳ１５では、積算値復帰部９９が、積算値Ｑｘを直近の最大消費電力値Ｎｘ（Ｐｘ）を積算する前の積算値Ｑｘ−１に戻す。本実施形態において、積算値復帰部は、積算値記憶部８４から積算する前の積算値データＱｘ−１を呼び出し、積算値Ｑｘに書き換えて積算値記憶部８４に記憶させる。
【００７５】
上記のように、積算値復帰部９９が、積算値Ｑｘを直近の最大消費電力値Ｎｘ（Ｐｘ）を積算する前の積算値Ｑｘ−１に戻すことにより、運転制御信号出力部９８によって運転オン信号を出力する空調機器２以外の最大消費電力値Ｎｘ（Ｐｘ）を積算値から除くことで、運転オン信号を送信する空調機器２の最大消費電力値Ｎｘ（Ｐｘ）のみを積算するようになっている。
【００７６】
そして、空調機器２の優先順位が最下位であるか否かを判別し（ステップＳ１６）、その優先順位が最下位になるまでステップＳ１１〜Ｓ１６を繰り返す（ステップＳ１６：ＮＯ）。そして、空調機器２の優先順位が最下位であると判別されると（ステップＳ１６：ＹＥＳ）、つぎのステップＳ１７へ進む。
【００７７】
つぎに、ステップＳ１７〜ステップＳ２４は、割り込み信号が発せられている空調機器２を除いた、運転要求信号のみが発せられている空調機器２に対して、最大消費電力値Ｎｘの積算値Ｒｘを算出し、その積算値Ｒｘと制限電力値Ｓとを比較して、その比較結果を比較結果記憶部８５に記憶させる工程である。
【００７８】
具体的には、まず、第１優先順位の空調機器２を選択する（ステップＳ１７）。そして、ステップＳ１１〜Ｓ１６を繰り返して空調機器２の優先順位が最下位であると判別された（ステップＳ１６：ＹＥＳ）時点における積算値ＱＹを、初期値Ｒ０とする（ステップＳ１８）。そのように、割り込み信号が発せられている全ての空調機器２の最大消費電力値Ｎｘ（Ｐｘ）の積算値ＱＹを初期値とすることで、利用可能な電力値を確実に制限電力値Ｓ以下となるように制御している。
【００７９】
つぎに、割り込み信号が発せられている空調機器２を除く、運転要求信号のみが発せられている空調機器２を抽出するため、運転条件記憶部８３に記憶された運転条件を呼び出し、運転条件パラメータがＭｘ＞０であるか否かを判別する（ステップＳ１９）。運転条件パラメータがＭｘ＞０である場合（ステップＳ１９：ＹＥＳ）はステップＳ２０に進み、運転条件パラメータがＭｘ＞０でない場合（ステップＳ１９：ＮＯ）は、ステップＳ２３へと進む。
【００８０】
ステップＳ２０では、積算値算出部９６が積算値記憶部８４に記憶されている積算値Ｒｘを呼び出し、その積算値Ｒｘに、割り込み信号が発せられている空調機器２を除く、運転要求信号が発せられている空調機器２の最大消費電力値Ｎｘ（Ｍｘ）を積算し、積算値Ｒｘを算出する。また、ステップＳ１２と同様に、積算値算出部９６は、積算する前の積算値Ｒｘ−１を残しつつ、算出した積算値Ｒｘを新しい積算値Ｒｘとして積算値記憶部８４に記憶させる。
【００８１】
つぎに、ステップＳ１３と同様に、積算値比較部９７が、積算値算出部９６が算出した積算値Ｒｘと、制限電力値取得部９１で取得された制限電力値Ｓとの大小を比較する（ステップＳ２１）。積算値Ｒｘが制限電力値Ｓ以下であると判別された場合（ステップＳ２１：ＹＥＳ）は、ステップＳ２２に進み、その比較結果をＨｘ＝１として比較結果記憶部８５に記憶させる。
【００８２】
一方、積算値Ｒｘが制限電力値Ｓを越えると判別された場合（ステップＳ２１：ＮＯ）は、ステップＳ２３へと進む。
【００８３】
ステップＳ２３では、ステップＳ１５と同様に、積算値復帰部９９が、積算値記憶部８４から積算する前の積算値データＲｘ−１を呼び出し、積算値Ｒｘに書き換えて積算値記憶部８４に記憶させる。
【００８４】
なお、本実施形態において、積算値Ｒｘが制限電力値Ｓを越えると判別された場合（ステップＳ２１：ＮＯ）の空調機器２に対しては、ステップＳ１４ｂにおいて既に比較結果Ｈｘ＝０として比較結果記憶部８５に記憶させているので、再度の記憶はさせていない。
【００８５】
そして、空調機器２の優先順位が最下位であるか否かを判別し（ステップＳ２４）、その優先順位が最下位になるまでステップＳ１９〜Ｓ２４を繰り返す（ステップＳ２４：ＮＯ）。一方、空調機器２の優先順位が最下位であると判別されると（ステップＳ２４：ＹＥＳ）、つぎのステップＳ２５へ進む。
【００８６】
つぎに、ステップＳ２５〜Ｓ２８は、運転制御信号出力部９８が、積算値比較部９７の比較結果に基づき、各空調機器２に対して運転制御信号を出力する工程である。
【００８７】
具体的には、まず、第１優先順位の空調機器１を選択する（ステップＳ２５）。そして、比較結果記憶部８５から、積算値比較部９７による比較結果を呼び出し、比較結果がＨｘ＝１であるか否かを判別する（ステップＳ２６）。
【００８８】
そして、比較結果がＨｘ＝１である場合（ステップＳ２６：ＹＥＳ）、運転制御信号出力部９８は、その空調機器２に対して、運転オン信号を出力する（ステップＳ２７ａ）。また、本実施形態では、運転オン信号を出力していることを示すＬＥＤライト７１を点灯させる。
【００８９】
一方、比較結果がＨｘ＝０である場合（ステップＳ２６：ＮＯ）、運転制御信号出力部９８は、その空調機器２に対して、運転オフ信号を出力する（ステップＳ２７ｂ）。
【００９０】
運転制御信号出力部９８により出力された、運転オン信号および運転オフ信号は、通信手段４を介して、各空調機器２に出力される。
【００９１】
そして、空調機器２の優先順位が最下位であるか否かを判別し（ステップＳ２８）、空調機器２が最下位になるまでステップＳ２６〜Ｓ２８を繰り返す（ステップＳ２８：ＮＯ）。そして、最下位であると判別されると（ステップＳ２８：ＹＥＳ）、ステップＳ２９へ進む。
【００９２】
ステップＳ２９では、運転制御を停止するか否かを判別する。本実施形態において、運転制御の停止は、入力手段６による空調機器運転制御装置３の運転の開始や停止の指示を判別することにより行う（ステップＳ２９）。運転の停止の指示がない場合（ステップＳ２９：ＮＯ）は、ステップＳ３〜Ｓ２９を繰り返し、空調機器２の運転制御を継続する。一方、運転の停止の指示がある場合（ステップＳ２９：ＹＥＳ）は、制御を終了させる。
【００９３】
なお、ステップＳ３〜Ｓ２９における空調機器２の運転制御処理の繰り返しは、常時行うようにしてもよい。また、運転中に最大消費電力値Ｎｘの積算値（ＱｘまはたＲｘ）が制限電力値Ｓを越えることがないため、所定の時間間隔毎に繰り返すようにしてもよい。
【００９４】
以上のような本実施形態の空調機器運転制御装置３、空調機器運転制御プログラム３ａおよび空調機器運転制御方法によれば、以下のような効果を得ることができる。
１．制限電力値Ｓの範囲内で、運転要求のある空調機器２を最大限に運転することができる。特に、空調機器２の数が多いほど、従来のデマンド制御技術に比べて運転される空調機器２が増大するため、その差異は顕著になる。
２．各空調機器２の最大消費電力値Ｎｘの積算値（ＱｘまはたＲｘ）を制限電力値Ｓ以下に保つことができる。
３．複数の空調機器２に対し、制限電力値Ｓの範囲内で優先順位に従い無駄なく電力を割り振ることができ、効率的な運転制御をすることができる。
４．安価な電気料サービスを受けることができる。
５．電力使用量を測定するための高価なセンサー等を必要とせず、かつ、常時監視を必要としないため、製造コストおよびプログラムの製作コストを抑制することができる。
６．割り込み信号によって、優先順位を変更することなく所定の空調機器２を優先的に運転させることができる。
【実施例１】
【００９５】
本実施例１では、空調機器運転制御装置３、空調機器運転制御プログラム３ａおよび空調機器運転制御方法を用いた空調機器運転制御システム１に対する運転制御のシミュレーションを行った。また、比較例として、従来の空調機器の運転制御装置における運転制御のシミュレーションも行った。
【００９６】
図５は、本実施例１の空調機器運転制御システム１における空調機器２の設置例を示す建物の間取り図である。図５に示すように、本実施例１における空調機器運転制御システム１を設置する建物は２階建てであり、１階には、玄関ホール、リビングダイニングキッチン（ＬＤＫ）、和室、脱衣所、ユニットバス（ＵＢ）およびトイレ（ＷＣ）があり、２階には洋間Ａと洋間Ｂがある。
【００９７】
本実施例１では、図５に示すように、建物内に８つの空調機器Ａ〜Ｈを設置した。具体的には、１階のリビングダイニングキッチンに空調機器Ａと空調機器Ｃを設置している。また、１階の和室に空調機器Ｂ設置している。また、２階の洋間Ｂには空調機器Ｄ、同じく２階の洋間Ａには空調機器Ｅが設置されている。さらに、１階の脱衣所には空調機器Ｆ、１階の玄関ホールには空調機器Ｇおよび１階のトイレには空調機器Ｈがそれぞれ設置されている。
【００９８】
また、それぞれの空調機器の最大消費電力値Ｎｘは、空調機器Ａが１．６ｋＷ、空調機器Ｂが１．０ｋＷ、空調機器Ｃが１．６ｋＷ、空調機器Ｄが１．３ｋＷ、空調機器Ｅが１．０ｋＷ、空調機器Ｆが０．５ｋＷ、空調機器Ｇが０．５ｋＷ、空調機器Ｈが０．３ｋＷである。
【００９９】
本実施例１において、各空調機器Ａ〜Ｈは、そのアルファベット順に優先順位が設定されている。また、制限電力値Ｓは、４．４ｋＷである。以下に、運転条件を様々なパターンで設定して、各空調機器Ａ〜Ｈがどのように運転制御されるかのシミュレーションを行った。その結果を、比較例の結果とともに、図６および図７を参照しつつ説明する。
【０１００】
『全ての空調機器Ａ〜Ｈが運転要求信号を発している場合（図６（ａ）、図７（ａ））』
本実施例１において、全ての空調機器Ａ〜Ｈが運転要求信号を発している場合は、図６（ａ）に示すように、優先順位に従って、空調機器Ａ、ＢおよびＣに運転オン信号が発せられ、その他の空調機器Ｄ〜Ｈには運転オフ信号が発せられる。
【０１０１】
具体的には、空調機器Ａの最大消費電力値ＮAは１．６ｋＷであり、制限電力値Ｓの４．４ｋＷを越えていないため、運転オン信号が出力される。
【０１０２】
つぎに、１つ下位の優先順位にある空調機器Ｂの最大消費電力値ＮＢ１．０ｋＷを空調機器Ａの最大消費電力値ＮＡ１．６ｋＷに積算する。その結果は、２．６ｋＷであり、制限電力値Ｓの４．４ｋＷを越えていないため、空調機器Ｂに対しても、運転オン信号が出力される。
【０１０３】
同様に、１つ下位の優先順位にある空調機器Ｃの最大消費電力値ＮＣを積算値ＲＢに積算すると４．２ｋＷとなり、制限電力値Ｓの４．４ｋＷを越えていないため、空調機器Ｃに対しても、運転オン信号が出力される。
【０１０４】
しかし、１つ下位の優先順位にある空調機器Ｄの最大消費電力値ＮＤを積算値ＲＣに積算すると５．５ｋＷになり、制限電力値Ｓの４．４ｋＷを越えてしまう。よって、空調機器Ｄには運転オフ信号が出力される。そして、積算値ＲＤを積算する前の積算値ＲＣである４．２ｋＷに戻す。
【０１０５】
つぎに、更に１つ下位の優先順位にある空調機器Ｅの最大消費電力値ＮＥを積算値ＲＣに積算すると、その積算値ＲＥは、５．２ｋＷとなり、制限電力値Ｓの４．４ｋＷを越えてしまう。よって、空調機器Ｅにも運転オフ信号が出力される。
【０１０６】
以下、同様に、空調機器Ｆ〜Ｈのいずれの最大消費電力値Ｎｘを積算しても、制限電力値Ｓの４．４ｋＷを越えてしまうので、それらの空調機器Ｆ〜Ｈにも運転オフ信号が出力されることになる。
【０１０７】
つぎに、比較例の従来の空調機器の運転制御装置を用いた場合におけるシミュレーション結果について説明する。従来の空調機器の運転制御装置を用いた場合、全ての空調機器Ａ〜Ｈには、一旦、運転オン信号が発せられる。このため、使用電力量の最大値は、７．８ｋＷとなり、制限電力値Ｓの４．４ｋＷを越える。
【０１０８】
従来の空調機器の運転制御装置では、実際に使用されている電力値が制限電力値Ｓ以下になるまで、優先順位の低い空調機器から運転オフ信号が出力される。すなわち、図７（ａ）に示すように、優先順位が最下位の空調機器Ｈから順に、制限電力値Ｓ以下となる空調機器Ｄまで運転オフ信号が出力されることになる。
【０１０９】
したがって、全ての空調機器Ａ〜Ｈが運転要求信号を発している場合は、本実施例１によるシミュレーション結果と従来の空調機器の運転制御装置によるシミュレーション結果とは、同じ結果となり、空調機器Ａ、ＢおよびＣに運転オン信号が発せられ、その他の空調機器Ｄ〜Ｈには運転オフ信号が発せられることとなった。
【０１１０】
『空調機器Ａのセンサーの計測値が設定温度に到達した場合（図６（ｂ）、図７（ｂ））』
つぎに、空調機器Ａのセンサーの計測値が設定温度に到達した場合について説明する（図６（ｂ））。空調機器Ａのセンサーの計測値が設定温度に到達すると、空調機器Ａからは運転要求信号が発せられなくなる。よって、本実施例１の空調機器運転制御装置からは、空調機器Ａに対し、運転オフ信号が出力されることになる。
【０１１１】
つぎに、空調機器Ｂから順に最大消費電力値ＮＢを積算し、その都度、制限電力値Ｓと大小を比較する。まず、空調機器Ｂ〜Ｄの最大消費電力値ＮＢ〜Ｄの積算値ＲＤは３．９ｋＷであり、制限電力値Ｓの４．４ｋＷを越えていないため、空調機器Ｂ〜Ｄにはそれぞれ運転オン信号が出力される。
【０１１２】
つぎに、１つ下位の優先順位にある空調機器Ｅの最大消費電力値ＮＥを積算値積算値ＲＤに積算すると、４．９ｋＷとなるため、空調機器Ｅには運転オフ信号が出力される。
【０１１３】
その後も本実施例１では、積算値ＲＥを積算する前の積算値ＲＤである３．９ｋＷに戻し、１つ下位の優先順位にある空調機器Ｆの最大消費電力値ＮＦを積算値ＲＤに積算する。すると、その積算値ＲＦは、４．４ｋＷとなり、制限電力値Ｓの４．４ｋＷと等しくその値を越えない。よって、空調機器Ｆには、運転オン信号が出力されることになる。
【０１１４】
以下、空調機器Ｇ〜Ｈでは、最大消費電力値Ｎｘを積算値Ｒｘに積算すると、制限電力値Ｓの４．４ｋＷを越えるので運転オフ信号が出力される。
【０１１５】
一方、従来の空調機器の運転制御装置では、空調機器Ｂ〜Ｈに、一旦、運転オン信号が発せられる。このため、使用電力量の最大値は、６．２ｋＷであり、制限電力値Ｓの４．４ｋＷを越えるため、制限電力値Ｓ以下になるまで、優先順位の低い空調機器から運転オフ信号が出力される。
【０１１６】
その結果、図７（ｂ）に示すように、優先順位が最下位の空調機器Ｈから順に、制限電力値Ｓの範囲内となる空調機器Ｅまで運転オフ信号が出力されることになる。そのときの、最大消費電力値Ｎｘの積算値Ｒｘ、３．９ｋＷである。
【０１１７】
すなわち、従来の空調機器の運転制御装置では、制限電力値Ｓである４．４ｋＷとの間に０．５ｋＷの余裕があり、空調機器Ｆ〜Ｈのいずれか１つを運転させても制限電力値Ｓの範囲内になるにもかかわらず、空調機器Ｅ〜Ｈが運転オフ信号が出力されることになる。
【０１１８】
したがって、空調機器Ａのセンサーの計測値が設定温度に到達した場合には、本実施例１によるシミュレーション結果と従来の空調機器の運転制御装置によるシミュレーション結果とは、異なる結果となり、本実施例１による運転制御の方が制限電力値Ｓの範囲内の電力を最大限利用が出来ていて、効率的であった。
【０１１９】
『空調機器ＡおよびＤのセンサーの計測値が設定温度に到達した場合（図６（ｃ）、図７（ｃ））』
つぎに、空調機器ＡおよびＤのセンサーの計測値が設定温度に到達した場合について説明する（図６（ｃ））。この場合、空調機器ＡおよびＤには、運転オフ信号が出力される。
【０１２０】
よって、空調機器Ｂ〜Ｃについて最大消費電力値ＮＢ〜Ｃを積算した後、空調機器Ｄをとばして、空調機器Ｅ〜Ｈの順に、最大消費電力値ＮＥ〜Ｈを積算値ＲＸを算出し、その都度、制限電力値Ｓと大小を比較する。
【０１２１】
その結果、図６（ｃ）に示すように、空調機器Ｂ〜Ｃ、Ｅ〜ＦおよびＨに運転オン信号が出力され、空調機器Ｇには運転オフ信号が発せられる。
【０１２２】
一方、従来の空調機器の運転制御装置を用いた場合のシミュレーション結果を図７（ｃ）に示す。図７（ｃ）に示すように、空調機器Ｂ、Ｃ、ＥおよびＦには運転オン信号が出力され、その他の、空調機器Ａ、Ｄ、ＧおよびＨに運転オフ信号が出力される。
【０１２３】
この比較例において、空調機器Ｂ、Ｃ、ＥおよびＦの最大消費電力値の積算値は４．１ｋＷであり、制限電力値Ｓの４．４ｋＷとの間に０．３ｋＷの余裕がある。よって、制限電力値Ｓの範囲内で空調機器Ｈを運転させる余力が有るにも関わらず、運転が停止されたままになる。
【０１２４】
したがって、空調機器ＡおよびＤのセンサーの計測値が設定温度に到達した場合においても、本実施例１によるシミュレーション結果と従来の空調機器の運転制御装置によるシミュレーション結果とは、異なる結果となり、本実施例１による運転制御の方が制限電力値Ｓの範囲内の電力を最大限利用が出来ていて、効率的であった。
【０１２５】
すなわち、上記図６（ｂ），（ｃ）の結果より、本発明に係る制御方法によれば、制限電力値の範囲内で空調機器を最大限に運転することができることが示された。また、制御対象となる空調機器の数が多いほど、本発明に係る制御方法によって運転される空調機器の数は、従来のデマンド制御技術（図７（ｂ），（ｃ））によって運転される空調機器の数よりも一層多くなることがわかる。
【０１２６】
『空調機器ＡおよびＤのセンサーの計測値が設定温度に到達し、かつ、空調機器Ｃの運転スイッチがオフになっている場合（図６（ｄ）、図７（ｄ））』
空調機器ＡおよびＤのセンサーの計測値が設定温度に到達し、かつ、空調機器Ｃの運転スイッチがオフになっている場合は、空調機器Ａ、ＣおよびＤには、運転オフ信号が発せられる。そのたの空調機器Ｂ、Ｅ〜Ｈの最大消費電力値Ｎｘの積算値Ｒｘを算出し、制限電力値Ｓと大小を比較する。
【０１２７】
そこで、空調機器Ｂ、Ｅ〜Ｈの最大消費電力値Ｎｘを順に積算すると、積算値Ｒｘは、３．３ｋＷになる。よって、図６（ｄ）に示すように、空調機器Ｂ、Ｅ〜Ｈの全てに対して、運転オン信号が出力されることになる。
【０１２８】
なお、従来の空調機器の運転制御装置を用いた場合のシミュレーション結果を図７（ｄ）に示すが、本実施例１と同じ結果となった。
【０１２９】
『空調機器Ｄが割り込み信号を出力を発している場合（図６（ｅ））』
つぎに、空調機器Ｄが割り込み信号を発している場合について説明する。まず、空調機器Ｄが割り込み信号を発しているため、空調機器Ｄの最大消費電力値ＮＤと制限電力値Ｓとの比較を先に行う。その結果、空調機器Ｄの最大消費電力値ＮＤは１．３ｋＷであり、制限電力値Ｓの４．４ｋＷを越えていないため、空調機器Ｄに対して運転オン信号が出力される。
【０１３０】
つぎに、優先順位に従い、空調機器Ａから順に、各最大消費電力値Ｎｘを、割り込み信号が発せられた空調機器Ｄの最大消費電力値ＮＤである１．３ｋＷに積算し、その積算値Ｒｘを制限電力値Ｓと比較する。空調機器ＡおよびＢの最大消費電力値Ｎｘを空調機器Ｄの最大消費電力値ＮＤである１．３ｋＷに積算すると３．９ｋＷとなり、制限電力値Ｓの４．４ｋＷを越えていない。よって、空調機器ＡおよびＢには、運転オン信号が出力される。
【０１３１】
つぎに、１つ下位の優先順位にある空調機器Ｃの最大消費電力値ＮＣを積算値ＲＢに積算すると、５．５ｋＷになり制限電力値Ｓの４．４ｋＷを越えてしまう。よって、空調機器Ｃには、運転オフ信号が出力される。
【０１３２】
その後も本実施例１では、積算値ＲＣを積算する前の積算値ＲＢである３．９ｋＷに戻し、空調機器Ｅの最大消費電力値ＮＥを積算値ＲＢに積算すると、４．５ｋＷになり、空調機器Ｃの場合と同様、制限電力値Ｓの４．４ｋＷを越えてしまうため運転オフ信号が出力される。
【０１３３】
また同様に、積算値ＲＥを積算する前の積算値ＲＢである３．９ｋＷに戻し、空調機器Ｆの最大消費電力値ＮＦを積算値ＲＢに積算する。その結果、積算値ＲＦは４．４ｋＷとなり、制限電力値Ｓの４．４ｋＷと等しくその値を越えない。よって、空調機器Ｆには、運転オン信号が出力されることになる。
【０１３４】
以下、空調機器Ｇ〜Ｈでは、最大消費電力値Ｎｘを積算値Ｒｘに積算すると、制限電力値Ｓの４．４ｋＷを越えるので運転オフ信号が出力される。
【０１３５】
『空調機器ＤおよびＨが割り込み信号を出力を発している場合（図６（ｆ））』
空調機器ＤおよびＨが割り込み信号を発している場合、これら空調機器ＤおよびＨの最大消費電力値Ｎｘを先に積算する。なお、複数の空調機器で割り込み信号が発せられている場合は、予め設定されている優先順位に従って、処理される。よって、まず、空調機器Ｄの最大消費電力値ＮＤと制限電力値Ｓとを比較する。空調機器Ｄの最大消費電力値ＮＤと制限電力値Ｓとは、上記の通り、制限電力値Ｓを越えていないため、空調機器Ｄに対して運転オン信号が出力される。
【０１３６】
つぎに、割り込み信号が出力されている空調機器のうち、優先順位が低い空調機器Ｈの最大消費電力値ＮＨを積算する。その積算値ＲＨは１．６ｋＷであり、制限電力値Ｓの４．４ｋＷを越えていなため、空調機器Ｈに対しても運転オン信号が出力される。
【０１３７】
以下は、割り込み信号が出力されていない各空調機器について、予め設定されている優先順位に従って処理する。その結果、図６（ｆ）に示すように、空調機器ＡおよびＢに、運転オン信号が出力され、その他の空調機器Ｃ、Ｅ〜Ｇに対しては、運転オフ信号が出力されることになる。
【０１３８】
以上のように、割り込み信号を出力する空調機器については、予め定められた優先順位に関わらず、優先的に運転させることができることが示された。
【０１３９】
なお、本発明に係る空調機器運転制御装置、空調機器運転制御プログラムおよび空調機器運転制御方法は、前述した実施形態に限定されるものではなく、適宜変更することができる。
【０１４０】
例えば、制限電力値Ｓを記憶させる手段を、上記のように専用コネクターや、専用ＩＣカード等をコネクター端子やカードリーダーに装着させることで記憶させるようにし、その装着の有無を空調機器２の運転制御の開始条件としてもよい。そのようにすることで、電気会社等で支給される専用コネクターや専用ＩＣカードを利用することができるため、上記サービスを受けやすくすることができるものと考えられる。
【符号の説明】
【０１４１】
１  空調機器運転制御システム
２  空調機器
３  空調機器運転制御装置
３ａ  空調機器運転制御プログラム
４  通信手段
５  優先順位設定手段
６  入力手段
７  表示手段
８  記憶手段
９  演算処理手段
１０  信号線
２１  空調手段
２２  運転スイッチ
２３  割り込みスイッチ
２４  センサー
２５  機器側通信手段
２６  機器側記憶手段
２７  機器側演算処理手段
５１  端子台
５２  端子
７１  ＬＥＤライト
８１  プログラム記憶部
８２  制限電力値記憶部
８３  運転条件記憶部
８４  積算値記憶部
８５  比較結果記憶部
９１  制限電力値取得部
９２  優先順位判別部
９３  運転要求信号判別部
９４  最大消費電力値取得部
９５  割り込み信号判別部
９６  積算値算出部
９７  積算値比較部
９８  運転制御信号出力部
９９  積算値復帰部
２６１  最大消費電力値記憶部
２７１  運転条件判別部
２７２  信号入出力部
２７３  空調制御部
【図１】
0005174099.tif 000002
【図２】
0005174099.tif 000003
【図３】
0005174099.tif 000004
【図４】
0005174099.tif 000005
【図５】
0005174099.tif 000006
【図６】
0005174099.tif 000007
【図７】
0005174099.tif 000008